(57)【要約】【課題】  サイドフェンスの軽量化及び製造コストの低減を図ることができる排紙装置、該排版装置を有する画像形成装置を提供する。【解決手段】  排紙台１４には、落下した印刷用紙を落下方向下面側が凸となるＵ字状に維持するための傾斜面１６ａ―１を有する対構成の固定式用紙側縁支持部材１６ａが一体に設けられている。サイドフェンスの一部をなす一対の下流案内用サイドフェンス２３は、用紙排出方下流側を主に案内する形状に形成されており、上流側は補助ガイド部材３５によって案内される。下流案内用サイドフェンス２３の下端部２３ａは固定式用紙側縁支持部材１６ａ間に櫛歯状に位置し、調整移動時にも干渉しないようになっている。【選択図】      図４
2005178976.tif 000002
【特許請求の範囲】
【請求項１】
排出された画像形成済みの記録媒体が積載される昇降自在な排紙台と、記録媒体の排出方向と直交する幅方向の間隔を調整可能であり上記排紙台に落下する記録媒体を案内する対構成のサイドフェンスを有する排紙装置において、
上記排紙台に、落下した記録媒体を落下方向下面側が凸となるＵ字状に維持するための傾斜面を有する対構成の記録媒体側縁支持部材が設けられ、上記サイドフェンスは調整移動時上記記録媒体側縁支持部材と干渉しない形状を有していることを特徴とする排紙装置。
【請求項２】
請求項１記載の排紙装置において、
上記記録媒体側縁支持部材が記録媒体の排出方向に間隔をおいて複数設けられ、上記サイドフェンスの下端部が上記記録媒体側縁支持部材の間に入り込むことを特徴とする排紙装置。
【請求項３】
排出された画像形成済みの記録媒体が積載される昇降自在な排紙台と、記録媒体の排出方向と直交する幅方向の間隔を調整可能であり上記排紙台に落下する記録媒体を案内する対構成のサイドフェンスを有する排紙装置において、
上記排紙台に落下した記録媒体を落下方向下面側が凸となるＵ字状に維持するための傾斜面を有する対構成の記録媒体側縁支持部材を備え、該記録媒体側縁支持部材が、上記排紙台の排出方向下流側に位置固定された固定式記録媒体側縁支持部材と、上記排紙台の排出方向上流側に設けられ上記サイドフェンスに対して従動する従動式記録媒体側縁支持部材とに分けられているとともに、上記サイドフェンスと上記固定式記録媒体側縁支持部材は上記サイドフェンスの調整移動時互いに干渉しないように形成されていることを特徴とする排紙装置。
【請求項４】
請求項３記載の排紙装置において、
上記排紙台と上記固定式記録媒体側縁支持部材が一体成形されていることを特徴とする排紙装置。
【請求項５】
請求項１乃至４のうちの何れか１つに記載の排紙装置において、
上記サイドフェンスが記録媒体の排出方向下流側を主体として案内する形状を有し、該サイドフェンスの排出方向上流側には該上流側部位を主体に案内する補助ガイド部材が設けられていることを特徴とする排紙装置。
【請求項６】
請求項５記載の排紙装置において、
上記補助ガイド部材が上記サイドフェンスに対して記録媒体の排出方向と直交する記録媒体の厚み方向に変位可能に設けられていることを特徴とする排紙装置。
【請求項７】
請求項１乃至６のうちの何れか１つに記載の排紙装置において、
上記サイドフェンスが、記録媒体の排出方向上流側を支点として記録媒体の厚み方向に回動可能に設けられていることを特徴とする排紙装置。
【請求項８】
請求項７記載の排紙装置において、
上記サイドフェンスが、上流案内用サイドフェンスと、下流案内用サイドフェンスとに分けられ、上記下流案内用サイドフェンスのみが回動可能に設けられていることを特徴とする排紙装置。
【請求項９】
画像形成済みの記録媒体を積載する排紙装置を有する画像形成装置において、
上記排紙装置が、請求項１乃至８のうちの何れか１つに記載の排紙装置であることを特徴とする画像形成装置。
【発明の詳細な説明】
【技術分野】
【０００１】
本発明は、画像形成済みの記録媒体（用紙、記録紙、転写紙、印刷用紙等の概念を含む。以下、単に「用紙」という）を積載収容する排紙装置、該排版装置を有する印刷機、複写機、プリンタ、ファクシミリ等の画像形成装置に関する。
【背景技術】
【０００２】
従来より、画像形成済みの用紙を、昇降自在なエレベータタイプの排紙台を備えた排紙装置に排出・積載することが行われている。通常、画像形成部から排出された用紙はエンドフェンスにより排出方向の先端位置を規制されて排紙台に落下し、落下する過程においては排出方向の左右に配置された一対のサイドフェンスにより側縁をガイドされる。このようにして排紙台上に整然と積載されるようになっている。
エンドフェンスは用紙の排出方向に移動可能な構成を有し、用紙サイズに対応して調整されるようになっている。サイドフェンスも同様に用紙の幅方向に移動可能な構成を有し、用紙サイズに対応して調整されるようになっている。
用紙の積載量が所定量に達すると排紙台が一定量下降され、この制御を繰り返すことにより大量排紙が連続的にできるようになっている。
【０００３】
排出された画像形成済み（印刷済み）の用紙を排紙台上に平置き状態で積載するのに比べて、落下方向下面側が凸となるＵ字状に維持して積載する方式がより整然と積載できることが既に知られている。例えば特開平９−３０７１４号公報には、サイドフェンスの対向する内側に相手側に向かって俯角となる傾斜面を有する側縁支持部材（例えば３角形のリブ）を一体に形成し、用紙をＵ字状に維持するようになっている。
一般に、サイドフェンスは合成樹脂により矩形の板状に形成されており、上記特開平９−３０７１４号公報記載の構成では、サイドフェンスの軽量化を図るべく上下方向に延びる貫通穴を複数形成している。その一方、貫通穴の形成による機械的強度の低下を防止するために、サイドフェンスの外側に補強リブを一体に形成している。
【０００４】
【特許文献１】特開平１１−４８５９６号公報
【特許文献２】特開平９−３０７１４号公報
【発明の開示】
【発明が解決しようとする課題】
【０００５】
上述のように、従来においては、用紙をＵ字状に維持する側縁支持部材をサイドフェンスに一体に形成する方式であるため、軽量化を図った場合には補強用リブが必要になるなど、一体成形用の型構造が複雑となって製造コストが上昇するという問題があった。
【０００６】
そこで、本発明は、サイドフェンスの軽量化及び製造コストの低減を図ることができる排紙装置、該排版装置を有する画像形成装置の提供を、その主な目的とする。
【課題を解決するための手段】
【０００７】
本発明では、サイドフェンスの機能としては用紙の側縁を最低限ガイドできればよく、また、用紙をＵ字状に維持する側縁支持部材とは別個独立に存在していてもそれぞれの機能を発揮することができる、という視点に立っている。
具体的には、請求項１記載の発明では、排出された画像形成済みの記録媒体が積載される昇降自在な排紙台と、記録媒体の排出方向と直交する幅方向の間隔を調整可能であり上記排紙台に落下する記録媒体を案内する対構成のサイドフェンスを有する排紙装置において、上記排紙台に、落下した記録媒体を落下方向下面側が凸となるＵ字状に維持するための傾斜面を有する対構成の記録媒体側縁支持部材が設けられ、上記サイドフェンスは調整移動時上記記録媒体側縁支持部材と干渉しない形状を有していることを特徴とする。
【０００８】
請求項２記載の発明では、請求項１記載の排紙装置において、上記記録媒体側縁支持部材が記録媒体の排出方向に間隔をおいて複数設けられ、上記サイドフェンスの下端部が上記記録媒体側縁支持部材の間に入り込むことを特徴とする。
【０００９】
請求項３記載の発明では、排出された画像形成済みの記録媒体が積載される昇降自在な排紙台と、記録媒体の排出方向と直交する幅方向の間隔を調整可能であり上記排紙台に落下する記録媒体を案内する対構成のサイドフェンスを有する排紙装置において、上記排紙台に落下した記録媒体を落下方向下面側が凸となるＵ字状に維持するための傾斜面を有する対構成の記録媒体側縁支持部材を備え、該記録媒体側縁支持部材が、上記排紙台の排出方向下流側に位置固定された固定式記録媒体側縁支持部材と、上記排紙台の排出方向上流側に設けられ上記サイドフェンスに対して従動する従動式記録媒体側縁支持部材とに分けられているとともに、上記サイドフェンスと上記固定式記録媒体側縁支持部材は上記サイドフェンスの調整移動時互いに干渉しないように形成されていることを特徴とする。
【００１０】
請求項４記載の発明では、請求項３記載の排紙装置において、上記排紙台と上記固定式記録媒体側縁支持部材が一体成形されていることを特徴とする。
【００１１】
請求項５記載の発明では、請求項１乃至４のうちの何れか１つに記載の排紙装置において、上記サイドフェンスが記録媒体の排出方向下流側を主体として案内する形状を有し、該サイドフェンスの排出方向上流側には該上流側部位を主体に案内する補助ガイド部材が設けられていることを特徴とする。
【００１２】
請求項６記載の発明では、請求項５記載の排紙装置において、上記補助ガイド部材が上記サイドフェンスに対して記録媒体の排出方向と直交する記録媒体の厚み方向に変位可能に設けられていることを特徴とする。
【００１３】
請求項７記載の発明では、請求項１乃至６のうちの何れか１つに記載の排紙装置において、上記サイドフェンスが、記録媒体の排出方向上流側を支点として記録媒体の厚み方向に回動可能に設けられていることを特徴とする。
【００１４】
請求項８記載の発明では、請求項７記載の排紙装置において、上記サイドフェンスが、上流案内用サイドフェンスと、下流案内用サイドフェンスとに分けられ、上記下流案内用サイドフェンスのみが回動可能に設けられていることを特徴とする。
【００１５】
請求項９記載の発明では、画像形成済みの記録媒体を積載する排紙装置を有する画像形成装置において、上記排紙装置が、請求項１乃至８のうちの何れか１つに記載の排紙装置であることを特徴とする。
【発明の効果】
【００１６】
請求項１又は９記載の発明によれば、排出された画像形成済みの記録媒体が積載される昇降自在な排紙台と、記録媒体の排出方向と直交する幅方向の間隔を調整可能であり上記排紙台に落下する記録媒体を案内する対構成のサイドフェンスを有する排紙装置において、上記排紙台に、落下した記録媒体を落下方向下面側が凸となるＵ字状に維持するための傾斜面を有する対構成の記録媒体側縁支持部材が設けられ、上記サイドフェンスは調整移動時上記記録媒体側縁支持部材と干渉しない形状を有している構成としたので、サイドフェンスの形状を単純にすることができ、製造コストの低減を図ることができる。
【００１７】
請求項２又は９記載の発明によれば、請求項１記載の排紙装置において、上記記録媒体側縁支持部材が記録媒体の排出方向に間隔をおいて複数設けられ、上記サイドフェンスの下端部が上記記録媒体側縁支持部材の間に入り込む構成としたので、記録媒体のサイズに拘わらず整然と積載することができる。
【００１８】
請求項３又は９記載の発明によれば、排出された画像形成済みの記録媒体が積載される昇降自在な排紙台と、記録媒体の排出方向と直交する幅方向の間隔を調整可能であり上記排紙台に落下する記録媒体を案内する対構成のサイドフェンスを有する排紙装置において、上記排紙台に落下した記録媒体を落下方向下面側が凸となるＵ字状に維持するための傾斜面を有する対構成の記録媒体側縁支持部材を備え、該記録媒体側縁支持部材が、上記排紙台の排出方向下流側に位置固定された固定式記録媒体側縁支持部材と、上記排紙台の排出方向上流側に設けられ上記サイドフェンスに対して従動する従動式記録媒体側縁支持部材とに分けられているとともに、上記サイドフェンスと上記固定式記録媒体側縁支持部材は上記サイドフェンスの調整移動時互いに干渉しないように形成されている構成としたので、製造コストの低減を図ることができるとともに記録媒体を整然と積載することができる。
【００１９】
請求項４又は９記載の発明によれば、請求項３記載の排紙装置において、上記排紙台と上記固定式記録媒体側縁支持部材が一体成形されている構成としたので、製造コストの低減を図ることができるとともに、組み立て性の容易化を図ることができる。
【００２０】
請求項５又は９記載の発明によれば、請求項１乃至４のうちの何れか１つに記載の排紙装置において、上記サイドフェンスが記録媒体の排出方向下流側を主体として案内する形状を有し、該サイドフェンスの排出方向上流側には該上流側部位を主体に案内する補助ガイド部材が設けられている構成としたので、サイドフェンスの形状をその機能に即した効率的な形状とすることができ、製造コストのさらなる低減を図ることができる。
【００２１】
請求項６又は９記載の発明によれば、請求項５記載の排紙装置において、上記補助ガイド部材が上記サイドフェンスに対して記録媒体の排出方向と直交する記録媒体の厚み方向に変位可能に設けられている構成としたので、記録媒体の挟み込み等が生じても容易に処理することができる。
【００２２】
請求項７又は９記載の発明によれば、請求項１乃至６のうちの何れか１つに記載の排紙装置において、上記サイドフェンスが、記録媒体の排出方向上流側を支点として記録媒体の厚み方向に回動可能に設けられている構成としたので、記録媒体の挟み込み等が生じても容易に処理することができる。
【００２３】
請求項８又は９記載の発明によれば、請求項７記載の排紙装置において、上記サイドフェンスが、上流案内用サイドフェンスと、下流案内用サイドフェンスとに分けられ、上記下流案内用サイドフェンスのみが回動可能に設けられている構成としたので、簡易な構成で記録媒体の挟み込み等が生じても容易に処理することができる。
【発明を実施するための最良の形態】
【００２４】
以下、本発明の一実施形態を図１乃至図９に基づいて説明する。
まず、図１及び図２に基づいて本実施形態における画像形成装置としての孔版印刷装置１の構成の概要を説明する。孔版印刷装置１は、画像形成部としての装置本体部２と、該装置本体部２の一側面（操作面に向かって左側面）に付設された排紙装置３を有している。
装置本体部２は、内部に図示しないインキ供給手段を備えた印刷ドラム４と、画像情報に基づいて図示しないマスタを製版するとともに印刷ドラム４の外周面に製版済みのマスタを供給する製版装置５と、印刷ドラム４上の使用済みのマスタを剥離収容する排版装置６と、記録媒体としての印刷用紙７が積載収容された給紙台８の印刷用紙７を最上のものから順に１枚ずつ分離して給紙する給紙ローラ９と、給紙された印刷用紙７を所定のタイミングで印圧部へ搬送するレジストローラ対１０と、印刷ドラム４に対向して配置され、印刷ドラム４との間で印圧部を形成して印刷ドラム４に対して印刷用紙７を押圧する押圧手段としてのプレスローラ１１と、印刷された印刷用紙７を搬送して排紙装置３側へ排出する排紙搬送装置１２等を有している。
【００２５】
排紙装置３は、装置本体部２に隣接する排紙装置本体（筐体）１３と、排出された印刷済みの印刷用紙７を積載する昇降自在な排紙台１４と、該排紙台１４に落下する印刷用紙７を案内する一対のサイドフェンス１５と、落下した印刷用紙７を落下方向下面側が凸となるＵ字状に維持するための傾斜面を有する対構成の記録媒体側縁支持部材としての用紙側縁支持部材１６と、印刷用紙７の排出方向の先端位置を規制するエンドフェンス１７と、サイドフェンス１５を印刷用紙７の排出方向と直交する幅方向に移動させる上部サイドフェンス駆動機構１９及び下部サイドフェンス駆動機構２０と、上部サイドフェンス駆動機構１９と下部サイドフェンス駆動機構２０を同時に駆動するための調整ハンドル２１等を有している。
【００２６】
サイドフェンス１５は、印刷用紙７を排紙台１４へ案内する案内用サイドフェンスと、排紙台１４を貫通して上下方向に延び、排紙台１４に積載する印刷用紙７をガイドする積載用サイドフェンス１８を有している。積載用サイドフェンス１８は左右２本ずつ計４本（２対）設けられている。
案内用サイドフェンスは積載用サイドフェンス１８の内側に取り付けられており、積載用サイドフェンス１８に固定された上流案内用サイドフェンス２２と、該上流案内用サイドフェンス２２とは独立して設けられた下流案内用サイドフェンス２３とに分けられている。
図２に示すように、排紙装置本体１３の一側面には、排紙台１４を昇降させる駆動源としてのＤＣモータ２４が設けられており、図示しないベルト、プーリを介して排紙台１４を昇降させるようになっている。
【００２７】
排紙台１４は、サイドフェンス１５を用紙幅方向に調整するための領域が切り抜かれているとともに（図３参照）、図示しない軸及び軸受を有している。該軸受が排紙装置本体１３の図示しないレール部に沿って嵌め込まれ、ＤＣモータ２４で回転駆動される上記ベルトに図示しないジョイント部材で固定されることにより排紙台１４が昇降する。
排紙台１４の昇降領域は、排紙装置本体１３に設けられた上限センサ２５（図４参照）によって上限位置が規制され、下限センサ２６（図４参照）によって下限位置が規制されるようになっている。上限センサ２５と下限センサ２６は共に反射型フォトセンサにより構成されており、排紙台１４の図示しない遮蔽板によりオン・オフするようになっている。
【００２８】
エンドフェンス１７は、排紙装置本体１３の上部に上下方向に回動自在に設けられたエンドフェンス支持部材２７に印刷用紙７の排出方向にスライド自在に取り付けられている。印刷用紙７の排出方向のサイズに応じてその位置を調整される。
排紙装置本体１３における上部サイドフェンス駆動機構１９と下部サイドフェンス駆動機構２０との間には、排紙台１４に積載された印刷用紙７の上面を検知する積載面検知手段２８が設けられている。積載面検知手段２８は透過型フォトセンサからなり、発光部２８ａと受光部２８ｂから構成されている。
用紙側縁支持部材１６は、排紙台１４の排出方向下流側に位置固定された固定式用紙側縁支持部材１６ａと、排紙台１４の排出方向上流側に設けられ、サイドフェンス１５に対して従動する従動式用紙側縁支持部材１６ｂ（図６参照）とに分けられている。
【００２９】
固定式用紙側縁支持部材１６ａは、排出方向の左右に２個ずつ計４個（２対）設けられており、合成樹脂で排紙台１４と一体成形されている。各固定式用紙側縁支持部材１６ａは、Ｕ字状に維持するための傾斜面１６ａ―１を有している。
図１に示すように、下流案内用サイドフェンス２３は軽量化を図るために、印刷用紙７の排出方向下流側を主体として案内する形状を有している。すなわち、下流側のみが下方向に延びる軽量化形状を有しており、その下端部２３ａは固定式用紙側縁支持部材１６ａと固定式用紙側縁支持部材１６ａとの間に位置するようになっている。
【００３０】
このため、固定式用紙側縁支持部材１６ａと下端部２３ａは全体として櫛歯状の案内面を形成する。下端部２３ａは固定式用紙側縁支持部材１６ａの間に位置するので、サイドフェンス１５の調整移動時には互いに干渉しないようになっている。櫛歯状に配置することにより、印刷用紙７が下流案内用サイドフェンス２３内で排紙台１４に落下する間、印刷用紙７が外方にすり抜けることなく排紙台１４に整然と積載される。
このように、本実施形態では固定式用紙側縁支持部材１６ａと下流案内用サイドフェンス２３が別個に形成されているので、下流案内用サイドフェンス２３の形状を単純化且つ軽量化することができる。
【００３１】
図３に示すように、上部サイドフェンス駆動機構１９は、それぞれの側において積載用サイドフェンス１８を連結するブラケット２９Ａ、２９Ｂと、該ブラケット２９Ａ、２９Ｂ間を印刷用紙７の幅方向に貫通するガイド軸３０、３０と、それぞれのブラケット２９Ａ、２９Ｂに固定されたラック部３１Ａ、３１Ｂと、これらのラック部３１Ａ、３１Ｂに噛み合うピニオン３２と、調整ハンドル２１の軸に固定されたピニオン３３と、ピニオン３２と３３間に掛けられたベルト３４を有している。下部サイドフェンス駆動機構２０も同様の構成を有している。
排紙台１４は、上流側排紙台１４ａと下流側排紙台１４ｂの連結構造となっており、下流側排紙台１４ｂには積載用サイドフェンス１８の移動用溝４４が形成されている。
【００３２】
調整ハンドル２１を回転させると、上部サイドフェンス駆動機構１９と下部サイドフェンス駆動機構２０が同時に駆動され、左右それぞれの積載用サイドフェンス１８が印刷用紙７の幅方向に同時に移動する。すなわち、ワンハンドル操作にて印刷用紙７の幅を調整することができる。
下流案内用サイドフェンス２３は印刷用紙７の排出方向下流側を主体として案内する形状に形成されているため、印刷用紙７の排出方向のサイズが小さくなった場合にはその機能を良好に果たすことができなくなる場合がある。例えばＡ４サイズの横置き通紙の場合には印刷用紙７の先端部の両サイドをガイドできなくなる。
これを防止するために、下流案内用サイドフェンス２３の上流側部位を主体に案内する補助ガイド部材３５が外側に設けられている。
補助ガイド部材３５により小サイズの印刷用紙７も案内できるので、下流案内用サイドフェンス２３の形状を効率的に軽量化することができる。
【００３３】
下流案内用サイドフェンス２３は、排出方向下流側の積載用サイドフェンス１８に軸３６を介して水平方向外方に回動可能に設けられたブラケット３７に取り付けられている。補助ガイド部材３５は、上下方向に延びる細幅の板状に形成されており、その上部をブラケット３７に上下方向（印刷用紙７の厚み方向）に変位可能に取り付けられている。
図５に示すように、印刷用紙７のサイズが変わってサイドフェンス１５の調整がなされても、下流案内用サイドフェンス２３は固定式用紙側縁支持部材１６ａと干渉することなく移動でき、印刷用紙７をＵ字状に積載することができる。
【００３４】
図６に示すように、上流案内用サイドフェンス２２は積載用サイドフェンス１８に一体に形成されたブラケット１８ａに固定されている。
下流案内用サイドフェンス２３はブラケット３７に対して段付ネジ３８を支点として上下方向（印刷用紙７の厚み方向）に回動可能に設けられており、その範囲は、下流案内用サイドフェンス２３に形成された円弧状の長穴２３ｂをブラケット３７に設けられた段付ネジ３９が移動する範囲である。図６は、下流案内用サイドフェンス２３が自重により垂れ、長穴２３ｂの上端が段付ネジ３９に当接して下限位置に設定された状態を示している。
補助ガイド部材３５の上部には上下方向に延びる長穴３５ａが形成されており、該長穴３５ａがブラケット３７に上下方向に間隔をおいて設けられた２つの段付ネジ４０、４１に係合して振れを阻止された状態で上下方向の変位が可能となっている。
図６は、補助ガイド部材３５が自重で垂れ、長穴３５ａの上端が段付ネジ４１に当接して下限位置に設定された状態を示している。
下流側排紙台１４ｂは上流側排紙台１４ａに設けられたステー４２に、ブラケット４３を介して固定されている。
【００３５】
図７及び図８に示すように、従動式用紙側縁支持部材１６ｂは、上流側排紙台１４ａに固定されたステー４５に取り付けられたスライダ４６に固定されている。
スライダ４６は、ステー４５に形成された印刷用紙７の幅方向に延びる溝４５ａに段ネジ４７で一定の隙間をおいて取り付けられており、印刷用紙７の幅方向にスライド可能となっている。図示しないが、スライダ４６の係合片４６ａが積載用サイドフェンス１８に係合されており、積載用サイドフェンス１８が移動するとスライダ４６も同時に移動する。
従って、調整ハンドル２１に調整時、下流案内用サイドフェンス２３、上流案内用サイドフェンス２２、積載用サイドフェンス１８、従動式用紙側縁支持部材１６ｂが同時に移動する。
スライダ４６にはブラケット４６ｂが立ち上げられており、このブラケット４６ｂに従動式用紙側縁支持部材１６ｂが固定用片１６ｂ−１を介してネジ４８で固定されている。
積載用サイドフェンス１８には外側から内側へ向けて隆起する膨出部１８ｂが形成されており、実質的にこの膨出部１８ｂによって印刷用紙７のガイドがなされる。
【００３６】
図９に示すように、排紙台１４と補助ガイド部材３５との間において例えば印刷用紙７の挟み込みが発生した場合には、補助ガイド部材３５を上方に持ち上げてずらし、処理をする。この動作は下流案内用サイドフェンス２３に関係なく独立に行える。
また、排紙台１４と下流案内用サイドフェンス２３との間において印刷用紙７の挟み込み等が生じた場合には下流案内用サイドフェンス２３を上方に回動して処理を行う。上述したように下流案内用サイドフェンス２３は水平面での外側にも開くことができ、排紙台１４から印刷用紙７を取り除く場合には下流案内用サイドフェンス２３を外方に開いて作業スペースを広くする。
【００３７】
次に、排紙装置３の使用動作を説明する。
装置本体部２から排出される印刷用紙７のサイズ（長さ、幅）に応じてサイドフェンス１５、エンドフェンス１７の位置調整を行う。本実施形態ではこれらの調整を手動で行う方式としたが、ステッピングモータ等の駆動源を用い、印刷用紙７のサイズ情報に基づいて自動的に調整するようにしてもよい。
装置本体部２から排出された印刷済みの印刷用紙７は案内用サイドフェンスによって排紙台１４へ案内され、先端がエンドフェンス１７に衝突し、エンドフェンス１７、案内用エンドフェンスを介して積載用サイドフェンス１８によって規制されながら自由落下し、排紙台１４へ積載される。この場合、印刷用紙７は固定式用紙側縁支持部材１６ａにより積載形状をＵ字状に維持される。
【００３８】
積載された印刷用紙７の上面が積載面検知手段２８によって検知されると、図示しない制御手段によりＤＣモータ２４が駆動され、排紙台１４が一定量下降される。積載面検知手段２８により印刷用紙７の上面が検知された後、一定時間が経過した後、積載された高さ分排紙台１４を下降させる制御方式としてもよい。
上記下降制御が繰り返され、大量排紙が進行する。排紙台１４が下限センサ２６により検知されたら満杯となり、印刷動作が停止されるとともに排紙台１４はそれ以上下降制御されない。
下限位置に達した場合、上記制御手段は、例えば図示しない操作パネルの液晶表示部に「排紙台の印刷用紙が満杯となりましたので、取り除いて下さい」なる旨の表示を行う。
【図面の簡単な説明】
【００３９】
【図１】本発明の一実施形態における画像形成装置の孔版印刷装置の概要正面図である。
【図２】同概要平面図である。
【図３】排紙装置の概要斜視図である。
【図４】排紙装置の簡略化した斜視図である。
【図５】用紙サイズの変更によるサイドフェンスの調整と固定式用紙側縁支持部材との位置関係を示す図である。
【図６】案内用サイドフェンスの取り付け状態を示す概要正面図である。
【図７】従動式用紙側縁支持部材の取り付け状態を示す要部平面図である。
【図８】従動式用紙側縁支持部材の取り付け状態を示す要部正面図である。
【図９】下流案内用サイドフェンスの回動動作と補助ガイド部材の変位動作を示す要部正面図である。
【符号の説明】
【００４０】
７  記録媒体としての印刷用紙
１４  排紙台
１５  サイドフェンス
１６  記録媒体側縁支持部材
１６ａ  固定式記録媒体側縁支持部材としての固定式用紙側縁支持部材
１６ｂ  従動式記録媒体側縁支持部材としての従動式用紙側縁支持部材
【図１】
2005178976.tif 000003
【図２】
2005178976.tif 000004
【図３】
2005178976.tif 000005
【図４】
2005178976.tif 000006
【図５】
2005178976.tif 000007
【図６】
2005178976.tif 000008
【図７】
2005178976.tif 000009
【図８】
2005178976.tif 000010
【図９】
2005178976.tif 000011